(57)【要約】【課題】本発明は、フェライトコアを収納しても電動工具のグリップ部の径寸法が増加しないようにすることを目的とする。【解決手段】本発明に係る電動工具は、グリップ部２０にモータ２５の固定子２５０が同軸に収納固定される構成の電動工具であって、モータ２５の駆動用の電線が通される円筒形のフェライトコア４５を有しており、フェライトコア４５は、グリップ部２０内においてモータ２５の固定子２５０の外周面よりも半径方向内側に配置されている。【選択図】図２
2015213980.tif 000002
【特許請求の範囲】
【請求項１】
グリップ部にモータの固定子が同軸に収納固定される構成の電動工具であって、
前記モータの駆動用の電線が通される円筒形のフェライトコアを有しており、
前記フェライトコアは、前記グリップ部内において前記モータの固定子の外周面よりも半径方向内側に配置されていることを特徴とする電動工具。
【請求項２】
請求項１に記載された電動工具であって、
前記フェライトコアは、その軸心が前記モータの軸心に対して平行、あるいは前記グリップ部の内壁面の長手方向に沿うように配置されていることを特徴とする電動工具。
【請求項３】
請求項１又は請求項２のいずれかに記載された電動工具であって、
前記グリップ部は、前記モータを収容する第１の収容部と、前記第１の収容部の延長線上の位置で前記電気部品を収容する第２の収容部とを備えており、
前記フェライトコアは、前記第２の収容部に収納されていることを特徴とする電動工具。
【請求項４】
請求項１から請求項３のいずれかに記載された電動工具であって、
前記モータを起動、あるいは停止させる電気部品であるスイッチと、前記モータの回転を制御する電気部品であるコントローラとを備えており、
前記スイッチ、前記コントローラの少なくとも一方と、前記モータとをつなぐ電線が前記フェライトコアに通されていることを特徴とする電動工具。
【請求項５】
請求項１から請求項３のいずれかに記載された電動工具であって、
前記モータは、固定子のコイルと、前記コイルとブラシ及び整流子を介して電気的に接続される回転子の巻き線とを有しており、
前記コイルとブラシとをつなぐ電線が前記フェライトコアに通されていることを特徴とする電動工具。
【請求項６】
請求項１から請求項４に記載された電動工具であって、
前記モータの固定子の外周面は、軸心に対して直角な断面形状が上下に長く左右に短い略楕円形をしており、
前記フェライトコアは、前記固定子の上部左隅、上部右隅、下部左隅、あるいは下部右隅のいずれかと軸方向において重なる位置に配置されていることを特徴とする電動工具。
【請求項７】
請求項６に記載された電動工具であって、
前記第２の収容部には、前記フェライトコアを支持する支持部が設けられており、
前記支持部は、前記フェライトコアの右側面を支える右側縦リブと、前記フェライトコアの左側面を支える左側縦リブと、前記右側縦リブと左側縦リブとの基端部側で前記フェライトコアの下側面、あるいは上側面を支える底板とを備えており、
前記グリップ部の軸心と直角な断面において、前記右側縦リブと左側縦リブとの突出寸法が異なることを特徴とする電動工具。
【請求項８】
請求項７に記載された電動工具であって、
前記グリップ部の軸心と直角な断面において、前記右側縦リブと左側縦リブとが前記固定子の外周面よりも半径方向内側に設けられていることを特徴とする電動工具。
【請求項９】
請求項７又は請求項８のいずれかに記載された電動工具であって、
前記グリップ部の軸心と直角な断面において、前記右側縦リブの先端と左側縦リブの先端とが前記固定子の外周面に沿うように、左右の縦リブの突出寸法が設定されていることを特徴とする電動工具。
【請求項１０】
請求項３から請求項９のいずれかに記載された電動工具であって、
前記第２の収容部の全ては、筒状のカバー部材によって覆われていることを特徴とする電動工具。
【請求項１１】
請求項１０に記載された電動工具であって、
前記カバー部材の内壁面には突条が設けられており、前記突条の先端で前記第２の収容部の支持部に支持された前記フェライトコアが前記支持部の底板の反対側から押さえられていることを特徴とする電動工具。
【請求項１２】
請求項７から請求項１１のいずれかに記載された電動工具であって、
前記第２の収容部の支持部における右側縦リブ、あるいは左側縦リブには、前記底板の反対側から前記フェライトコアの側面を押さえる鉤部が設けられていることを特徴とする電動工具。
【請求項１３】
請求項１から請求項１２のいずれかに記載された電動工具であって、
前記第２の収容部には、前記スイッチと前記コントローラとに挟まれる位置に雑音対策用の電気部品であるコンデンサが設けられていることを特徴とする電動工具。
【発明の詳細な説明】
【技術分野】
【０００１】
本発明は、グリップ部にモータの固定子が同軸に収納固定されている電動工具におけるフェライトコアの配置に関する。
【背景技術】
【０００２】
電動工具から発せられる電気的なノイズを低減させるためフェライトコアをハウジング内に設ける技術が特許文献１に記載されている。特許文献１に記載の電動工具は、モータ、及び減速機構等を収納するハウジング本体部と、そのハウジング本体部の下面から下方に突出するグリップ部とを備えている。前記ハウジング本体部内には、前部に減速機構が収納されており、その減速機構の出力軸（スピンドル）に先端工具を装着するチャックが設けられている。また、ハウジング本体部内には、減速機構の後側にモータが収納されており、前記モータの後側に前記フェライトコアが配置されている。グリップ部には、ハウジング本体部との接続部分に、トリガ式の駆動スイッチ等が設けられている。
【先行技術文献】
【特許文献】
【０００３】
【特許文献１】特開２０１１−１４３４９９号公報
【発明の概要】
【発明が解決しようとする課題】
【０００４】
上記した電動工具では、モータ、及びフェライトコア等を収納するハウジング本体部と、使用者が把持するグリップ部とは別々に設けられている。また、グリップ部には駆動スイッチ等が収納されており、大型の電気部品が収納されていない。このため、上記した電動工具では、グリップ部を使用者が握り易い径寸法で製作することができる。しかし、モータがグリップ部に収納されている電動工具、例えば、ランダムオービットサンダ等の場合、フェライトコア等の配置によってはグリップ部の径寸法が大きくなり、電動工具の取扱性が低下することがある。
【０００５】
本発明は、上記問題点を解決するためになされたものであり、本発明が解決しようとする課題は、フェライトコアを収納しても電動工具のグリップ部の径寸法が増加しないようにして、電動工具の取扱性が低下しないようにすることである。
【課題を解決するための手段】
【０００６】
上記した課題は、各請求項の発明によって解決される。請求項１の発明は、グリップ部にモータの固定子が同軸に収納固定される構成の電動工具であって、前記モータの駆動用の電線が通される円筒形のフェライトコアを有しており、前記フェライトコアは、前記グリップ部内において前記モータの固定子の外周面よりも半径方向内側に配置されていることを特徴とする。
【０００７】
本発明によると、フェライトコアは、グリップ部内においてモータの固定子の外周面よりも半径方向内側に配置されている。このため、グリップ部にフェライトコアを収納しても、前記グリップ部の径寸法が増加することがない。
【０００８】
請求項２の発明によると、フェライトコアは、その軸心がモータの軸心に対して平行、あるいはグリップ部の内壁面の長手方向に沿うように配置されていることを特徴とする。このため、フェライトコア用の収納スペースを設け易くなる。
【０００９】
請求項３の発明によると、グリップ部は、モータを収容する第１の収容部と、前記第１の収容部の延長線上の位置で前記電気部品を収容する第２の収容部とを備えており、フェライトコアは、前記第２の収容部に収納されていることを特徴とする。
【００１０】
請求項４の発明によると、モータを起動、あるいは停止させる電気部品であるスイッチと、前記モータの回転を制御する電気部品であるコントローラとを備えており、前記スイッチ、前記コントローラの少なくとも一方と、前記モータとをつなぐ電線が前記フェライトコアに通されていることを特徴とする。このように、ノイズ源であるモータとスイッチやコントローラとをつなぐ電線をフェライトコアに通す構成のため、ノイズの低減効果が大きくなる。
【００１１】
請求項５の発明によると、モータは、固定子のコイルと、前記コイルとブラシ及び整流子を介して電気的に接続される回転子の巻き線とを有しており、前記コイルとブラシとをつなぐ電線が前記フェライトコアに通されていることを特徴とする。このため、ノイズ源であるブラシ、及び整流子の近傍にフェライトコアを置くことができ、効果的にノイズの低減を図ることができる。
【００１２】
請求項６の発明によると、モータの固定子の外周面は、軸心に対して直角な断面形状が上下に長く左右に短い略楕円形をしており、前記フェライトコアは、前記固定子の上部左隅、上部右隅、下部左隅、あるいは下部右隅のいずれかと軸方向において重なる位置に配置されていることを特徴とする。
【００１３】
請求項７の発明によると、第２の収容部には、フェライトコアを支持する支持部が設けられており、前記支持部は、前記フェライトコアの右側面を支える右側縦リブと、前記フェライトコアの左側面を支える左側縦リブと、前記右側縦リブと左側縦リブとの基端部側で前記フェライトコアの下側面、あるいは上側面を支える底板とを備えており、前記グリップ部の軸心と直角な断面において、前記右側縦リブと左側縦リブとの突出寸法が異なることを特徴とする。
【００１４】
請求項８の発明によると、グリップ部の軸心と直角な断面において、右側縦リブと左側縦リブとが前記固定子の外周面よりも半径方向内側に設けられていることを特徴とする。このため、支持部が邪魔にならずグリップ部の径寸法を必要最小限の寸法まで抑えることができる。
【００１５】
請求項９の発明によると、グリップ部の軸心と直角な断面において、右側縦リブの先端と左側縦リブの先端とが前記固定子の外周面に沿うように、左右の縦リブの突出寸法が設定されていることを特徴とする。
【００１６】
請求項１０の発明によると、第２の収容部の全ては、筒状のカバー部材によって覆われていることを特徴とする。このため、電動工具の防塵、防水、絶縁等を確実に行なうことができる。
【００１７】
請求項１１の発明によると、カバー部材の内壁面には突条が設けられており、前記突条の先端で前記第２の収容部の支持部に支持された前記フェライトコアが前記支持部の底板の反対側から押さえられていることを特徴とする。これにより、フェライトコアのガタツキを抑制でき、フェライトコアが割れ難くなる。
【００１８】
請求項１２の発明によると、第２の収容部の支持部における右側縦リブ、あるいは左側縦リブには、前記底板の反対側から前記フェライトコアの側面を押さえる鉤部が設けられていることを特徴とする。これにより、カバー部材の内壁面に突条等を設ける必要がなくなる。
【００１９】
請求項１３の発明によると、第２の収容部には、前記スイッチと前記コントローラとに挟まれる位置に雑音対策用の電気部品であるコンデンサが設けられていることを特徴とする。このため、グリップ部の径寸法を抑えた状態でコンデンサを収納できるようになる。
【発明の効果】
【００２０】
本発明によると、雑音対策用のフェライトコアを電動工具のグリップ部に収納してもグリップ部が太くならず、電動工具の取扱性が低下しない。
【図面の簡単な説明】
【００２１】
【図１】本発明の実施形態１に係る電動工具（ランダムオービットサンダ）の全体斜視図である。
【図２】ランダムオービットサンダのグリップ部（第１の収容室）の軸心に対して直角な断面図（図１のII-II矢視断面図）である。
【図３】ランダムオービットサンダの電気回路を表す模式図である。
【図４】前記グリップ部の第２の収容部においてカバー部材を取外した状態を斜め右上後方から見た斜視図である。
【図５】前記グリップ部の第２の収容部においてカバー部材を取外した状態を斜め左下方から見た斜視図である。
【図６】前記グリップ部の第２の収容部においてカバー部材を取外した状態を下方から見た平面図である。
【図７】前記グリップ部の第２の収容部においてカバー部材を取外した状態を表す側面図である。
【図８】図７のVIII矢視拡大図である。
【図９】フェライトコアの支持構造を表す断面図（図８のIX-IX矢視断面図）である。
【図１０】変更例に係るフェライトコアの支持構造を表す断面図である。
【図１１】変更例に係るランダムオービットサンダのグリップ部において第２の収容部のカバー部材を取外した状態を表す側面図である。
【図１２】変更例に係るランダムオービットサンダの電気回路を表す模式図である。
【発明を実施するための形態】
【００２２】
［実施形態１］
以下、図１から図１２に基づいて、本発明の実施形態１に係る電動工具１０の説明を行なう。本実施形態に係る電動工具１０は、木材、金属の研磨等に使用されるランダムオービットサンダ１０であり、円板形の研磨ディスクを回転させながら偏心運動させて材料を研磨する工具である。ここで、図中に示す前後左右、及び上下は、ランダムオービットサンダ１０の前後左右、及び上下に対応している。
【００２３】
＜ランダムオービットサンダ１０の概要について＞
ランダムオービットサンダ１０は、図１に示すように、有天筒状のハウジング本体部１２と、そのハウジング本体部１２の上部側面から後方に突出するように設けられたグリップ部２０とを備えている。さらに、ランダムオービットサンダ１０は、ハウジング本体部１２の下部側面から後方に突出する集塵角筒１７とを備えており、その集塵角筒１７の後端部がグリップ部２０の後端部に吊り支持されている。
【００２４】
ハウジング本体部１２の下端には、図１に示すように、回転運動＋偏心運動を行なう円板状のベース１３が設けられており、そのベース１３に同じく円板状の研磨ディスク１５が同軸に取付けられている。また、ハウジング本体部１２の内側には、モータ２５（図２、図３参照）の回転力を受けてベース１３を回転運動＋偏心運動させるギヤ機構（図示省略）が収納されている。さらに、ハウジング本体部１２の下部内側には、集塵室（図示省略）が形成されており、その集塵室が集塵角筒１７と連通している。このため、集塵角筒１７の後端部に設けられたコネクタ１７ｃを集塵機（図示省略）に接続することで、研磨作業中に研磨クズの吸引を行なえるようになる。
【００２５】
＜ランダムオービットサンダ１０のグリップ部２０について＞
グリップ部２０は、図１に示すように、ランダムオービットサンダ１０の使用者が把持する部分であり、ハウジング本体部１２に接続される第１の収容部２３と、第１の収容部２３の延長線上位置に配置される第２の収容部３０とから構成されている。そして、グリップ部２０（第１の収容部２３）とハウジング本体部１２との境界位置上面にメインスイッチ４１（後記する）をオン・オフ動作させるためのスイッチ操作部１４が前後摺動可能な状態で設けられている。
【００２６】
＜グリップ部２０の第１の収容部２３について＞
グリップ部２０の第１の収容部２３には、図２に示すように、モータ２５が同軸に収納されている。モータ２５は、筒状の固定子２５０と、その固定子２５０に収納された軸状の回転子２５５（図３参照、図２では省略）とから構成されている。そして、モータ２５の回転子２５５の回転軸がハウジング本体部１２に収納された前記ギヤ機構と回転伝達可能な状態で連結されている。このため、モータ２５が駆動されることで前記ギヤ機構が動作し、ベース１３及び研磨ディスク１５が回転運動＋偏心運動をするようになる。
【００２７】
モータ２５の固定子２５０は、図２に示すように、鋼板により筒状に成形されて、内周面に一対の磁極（図示省略）を備える固定子鉄心２５１と、固定子鉄心２５１の磁極に巻装される一対のコイル２５２とから構成されている。固定子鉄心２５１の外周面（固定子２５０の外周面）は、軸心に対して直角な断面形状が上下に長く左右に短い略楕円形をしている。固定子２５０は、その固定子２５０の外周面がグリップ部２０の第１の収容部２３の内壁面に嵌め合わされた状態で、その第１の収容部２３に固定されている。このため、固定子２５０を収容するグリップ部２０の第１の収容部２３の断面形状を上下に長く左右に短い略楕円形に成形できるようになる。この結果、使用者がグリップ部２０を握り易くなる。ここで、固定子２５０の固定子鉄心２５１は電源のアース線と電気的に接続されている。
【００２８】
＜グリップ部２０の第２の収容部３０について＞
グリップ部２０の第２の収容部３０は、モータ２５を駆動させるための電気部品（図３参照）、即ち、メインスイッチ４１、コントローラ４３、雑音対策用のフェライトコア４５、コンデンサ４７等を収容する部分である。第２の収容部３０は、図４等に示すように、グリップ部２０の内側で前記電気部品を個々に支持できるように構成された支持部３３と、前記電気部品を支持した支持部３３を覆う筒状のカバー部材３１（図１参照）から構成されている。カバー部材３１は、前記支持部３３を覆った状態で、図１に示すように、そのカバー部材３１の外周意匠面が第１の収容部２３の外周意匠面と連続するように構成されており、第１の収容部２３と共にグリップ部２０を構成している。
【００２９】
＜モータ２５の駆動用の電気回路について＞
モータ２５の駆動用の電気回路は図３に示すように構成されている。前記電気回路を構成するメインスイッチ４１は、モータ２５を起動、あるいは停止させるためのスイッチであり、スイッチ操作部１４（図１参照）の動作を受けてオン、オフ動作するように構成されている。メインスイッチ４１の一次側端子には、図３に示すように、電源ケーブルＬの一方の電源線Ｌ０１が接続されており、二次側端子にはモータ２５の一方のコイル２５２に接続された電線Ｌ１が接続されている。モータ２５の一方のコイル２５２は、図３に示すように、一方のブラシ２５ｂ、整流子（図示省略）を介して回転子２５５の巻き線（図示省略）の一端に接続され、その巻き線の他端が整流子、他方のブラシ２５ｂを介して他方のコイル２５２に接続されている。そして、モータ２５の他方のコイル２５２に接続された電線Ｌ２がスイッチング素子であるコントローラ４３の一方の端子に接続されている。コントローラ４３の他方の端子には、電源ケーブルＬの他方の電源線Ｌ０２が接続されている。コントローラ４３は、モータ２５の回転速度を制御する素子であり、速度調整ダイヤル４３ｅ（図５〜図７参照）からの信号に基づいてモータ２５の回転速度を制御できるように構成されている。なお、図３では、速度調整ダイヤル４３ｅは省略されている。
【００３０】
即ち、交流電源の電源線Ｌ０１、Ｌ０２には、メインスイッチ４１とモータ２５とコントローラ４３とが直列に接続されている。そして、メインスイッチ４１とモータ２５間の電線Ｌ１と、コントローラ４３とモータ２５間の電線Ｌ２とが雑音対策用のフェライトコア４５に通されている。フェライトコア４５は、円筒形をしたフェライト製の雑音対策用部品であり、高周波ノイズを吸収できるように構成されている。また、メインスイッチ４１の二次側端子には、雑音対策用のコンデンサ４７の一方の端子が接続されており、そのコンデンサ４７の他方の端子が電源ケーブルＬの他方の電源線Ｌ０２が接続されている。即ち、コンデンサ４７は、モータ２５及びコントローラ４３と並列に接続されている。そして、コンデンサ４７のアース端子Ｅが、モータ２５の固定子鉄心２５１に接続されている。
【００３１】
＜メインスイッチ４１の支持構造について＞
メインスイッチ４１は、図４に示すように、第２の収容部３０の支持部３３を構成するスイッチ用支持部３３ｓに支持された状態で第２の収容部３０の右側後部に配置されている。メインスイッチ４１は、幅狭の箱型に形成されたスイッチ本体部４１ｍと、そのスイッチ本体部４１ｍの上面に設けられ、上方に突出するように構成されたスイッチ可動部４１ｋとを備えている。そして、メインスイッチ４１は、モータ２５の軸心に対して平行に、かつ起立した状態で第２の収容部３０のスイッチ用支持部３３ｓに支持されている。メインスイッチ４１のスイッチ可動部４１ｋは、第２操作レバー４１ｙ、及び第１操作レバー４１ｘを介してグリップ部２０の外側に設けられたスイッチ操作部１４（図１参照）に連結されている。第２操作レバー４１ｙ、及び第１操作レバー４１ｘは、図４に示すように、モータ２５の軸心に対して平行に設けられており、第２操作レバー４１ｙの後端部がメインスイッチ４１のスイッチ可動部４１ｋに連結されている。そして、第２操作レバー４１ｙの前端部が第１操作レバー４１ｘの後端部に連結され、その第１操作レバー４１ｘの前端部がスイッチ操作部１４に連結されている。これにより、スイッチ操作部１４の動作が第１操作レバー４１ｘ、第２操作レバー４１ｙを介してスイッチ可動部４１ｋに伝達され、メインスイッチ４１がオン、オフ動作可能となる。即ち、メインスイッチ４１が本発明のスイッチに相当する。
【００３２】
＜コントローラ４３、及びコンデンサ４７に支持構造について＞
コントローラ４３は、図５〜図７に示すように、第２の収容部３０の支持部３３におけるコントローラ用支持部３３ｃに支持された状態で第２の収容部３０の左側後部、即ち、メインスイッチ４１の反対側に配置されている。コントローラ４３は、速度調整ダイヤル４３ｅを後側にして起立した状態で配置されている。そして、コントローラ４３は、メインスイッチ４１からの距離が前側で比較的大きく、後側で比較的小さくなるように、左右方向において傾斜した状態でコントローラ用支持部３３ｃに支持されている。また、コントローラ４３とメインスイッチ４１との間には、幅狭の箱型をしたコンデンサ４７（雑音対策用部品）が両者４３，４１に挟まれた状態で支持されている。
【００３３】
＜フェライトコア４５の支持構造について＞
フェライトコア４５は、図７、図８に示すように、支持部３３のコントローラ用支持部３３ｃの上側に形成されたフェライト用支持部３３０に収納された状態で支持されている。フェライト用支持部３３０は、図９に示すように、フェライトコア４５の外周面を左方向、右方向、及び下方からそれぞれ支える左側縦リブ３３２、右側縦リブ３３１、及び底板３３４を備えている。そして、フェライト用支持部３３０の右側縦リブ３３１の上端位置にフェライトコア４５の外周面を上方から押さえる鉤部３３１ｋが形成されている。さらに、フェライト用支持部３３０の底板３３４には、右側縦リブ３３１の鉤部３３１ｋを成形するための型が通される開口３３４ｈが形成されている。
【００３４】
フェライトコア４５は、フェライト用支持部３３０に支持された状態で、図７に示すように、フェライトコア４５の軸心がコントローラ４３に沿ってグリップ部２０の前後方向に延びるように配置されている。即ち、フェライトコア４５は、コントローラ４３と同様に、モータ２５の軸心に対して左右方向に若干傾斜した状態で、前記カバー部材３１の内壁面の長手方向に沿って配置されている。また、フェライトコア４５は、フェライト用支持部３３０に支持された状態で、図２の二点鎖線に示すように、モータ２５の固定子２５０の外周面よりも半径方向内側で、その固定子２５０の上部左隅と軸方向において重なる位置に配置されている。ここで、フェライト用支持部３３０の左側縦リブ３３２、及び右側縦リブ３３１の高さ寸法は、グリップ部２０の軸心と直角な断面において、両縦リブ３３１，３３２の上端がモータ２５の固定子２５０の外周面に沿うような値に設定されている。即ち、図９に示すように、左側縦リブ３３２の高さ寸法が右側縦リブ３３１の高さ寸法よりも小さくなり、第２の収容部３０の支持部３３にカバー部材３１が被せられた状態で、両縦リブ３３１，３３２の上端がカバー部材３１の内壁面に沿うように配置される。
【００３５】
＜本実施形態に係るランダムオービットサンダの長所について＞
本実施形態に係るランダムオービットサンダ１０によると、フェライトコア４５は、グリップ部２０（第２の収容部３０）内においてモータ２５の固定子２５０の外周面よりも半径方向内側に配置されている。このため、グリップ部２０にフェライトコア４５を収納しても、前記グリップ部２０の径寸法が増加することがない。
【００３６】
また、フェライトコア４５は、モータ２５の軸心に対して若干傾斜した状態で配置されているため、フェライトコア４５用の収納スペースを設け易くなる。さらに、ノイズ源であるモータ２５とメインスイッチ４１やコントローラ４３とをつなぐ電線をフェライトコアに通す構成のため、ノイズの低減効果が大きくなる。
【００３７】
また、グリップ部２０の軸心と直角な断面において、フェライト用支持部３３０の右側縦リブ３３１の上端と左側縦リブ３３２の上端とが固定子２５０の外周面に沿うように、左右の縦リブ３３２，３３１の突出寸法が設定されているため、フェライト用支持部３３０（支持部３３）が邪魔にならずグリップ部２０の径寸法を必要最小限の寸法まで抑えることができる。
【００３８】
また、グリップ部２０の第２の収容部３０には、メインスイッチ４１とコントローラ４３とに挟まれる位置にコンデンサ４７が設けられているため、グリップ部２０の径寸法を抑えた状態でコンデンサ４７を収納できるようになる。
【００３９】
＜変更例＞
ここで、本発明は上記実施形態に限定されるものではなく、本発明の要旨を逸脱しない範囲における変更が可能である。例えば、本実施形態では、図９に示すように、フェライト用支持部３３０の右側縦リブ３３１の上端位置にフェライトコア４５の外周面を上方から押さえる鉤部３３１ｋを設ける例を示した。しかし、図１０に示すように、フェライト用支持部３３０の右側縦リブ３３１を左側縦リブ３３２と同様に塀状に形成し、カバー部材３１の内壁面にフェライトコア４５の外周面を上方から押さえる突条３１ｔを形成することも可能である。
【００４０】
また、本実施形態では、図７、図８に示すように、第２の収容部３０（支持部３３）のコントローラ用支持部３３ｃの上側に形成されたフェライト用支持部３３０にフェライトコア４５を収納し、フェライトコア４５をモータ２５の固定子２５０の上部左隅と軸方向において重なる位置に配置する例を示した。しかし、フェライトコア４５をモータ２５の固定子２５０の上部右隅、あるいは、下部左隅、下部右隅に配置することも可能である。また、フェライト用支持部３３０をコントローラ用支持部３３ｃの上側に形成する代わりに、図１１に示すように、コントローラ用支持部３３ｃの前側下部に形成し、フェライトコア４５を収納することも可能である。これにより、フェライトコア４５をモータ２５の近傍に配置できるようになり、フェライトコア４５による雑音吸収効率が向上する。さらに、フェライト用支持部３３０をコントローラ用支持部３３ｃの前側下部に設ける場合には、フェライトコア４５をモータ２５の軸心に対して平行に配置するのが好ましい。
【００４１】
また、本実施形態では、図３に示すように、メインスイッチ４１とモータ２５間の電線Ｌ１と、コントローラ４３とモータ２５間の電線Ｌ２とをフェライトコア４５に通す例を示した。しかし、図１２に示すように、モータ２５の一方のコイル２５２とブラシ２５ｂ間の電線と、他方のコイル２５２とブラシ２５ｂ間の電線とをフェライトコア４５に通すことも可能である。これにより、ノイズ源であるブラシ２５ｂ、及び整流子の近傍にフェライトコア４５を置くことができ、効果的にノイズの低減を図ることができる。また、本実施形態では、電動工具としてランダムオービットサンダ１０を例示したが、グリップ部にモータの固定子が同軸に収納固定されている電動工具であれば、例えば、電動ドライバ等にも本発明を適用することが可能である。
【符号の説明】
【００４２】
１０・・・・ランダムオービットサンダ（電動工具）
２０・・・・グリップ部
２５・・・・モータ
２５０・・・固定子
２５２・・・コイル
２５ｂ・・・ブラシ
２５５・・・回転子
２３・・・・第１の収容部
３０・・・・第２の収容部
３１・・・・カバー部材
３１ｔ・・・突条
３３・・・・支持部
４１・・・・メインスイッチ（スイッチ）
４３・・・・コントローラ
４５・・・・フェライトコア
４７・・・・コンデンサ
２５・・・・モータ
２５０・・・固定子
２５１・・・固定子鉄心
３３０・・・フェライト用支持部
３３１・・・右側縦リブ
３３１ｋ・・鉤部
３３２・・・左側縦リブ
３３４・・・底板
Ｌ１・・・・電線
Ｌ２・・・・電線
【図１】
2015213980.tif 000003
【図２】
2015213980.tif 000004
【図３】
2015213980.tif 000005
【図４】
2015213980.tif 000006
【図５】
2015213980.tif 000007
【図６】
2015213980.tif 000008
【図７】
2015213980.tif 000009
【図８】
2015213980.tif 000010
【図９】
2015213980.tif 000011
【図１０】
2015213980.tif 000012
【図１１】
2015213980.tif 000013
【図１２】
2015213980.tif 000014